(57)【要約】      （修正有）【課題】部品点数を少なくして、構造を簡単にし、かつ洗浄布の取付と取り外しを容易にした洗浄布の巻取り軸を提供する。【解決手段】主軸２及び主軸２と組み合わされる布押さえ３からなる、洗浄布を巻き取るための洗浄布の巻取り軸１において、主軸２は、布押さえ３を収容する収容溝４を備えており、収容溝４の第１の端５には、布押さえ３の第１の端６を差し込むための差し込み穴７が設けられ、収容溝４の第２の端８には、布押さえ３の第２の端１０を係止するための係止機構９が設けられている。【選択図】図１
2019052035.tif 000002
【特許請求の範囲】
【請求項１】
主軸２及び前記主軸２と組み合わされる布押さえ３からなる、洗浄布１８を巻き取るための洗浄布の巻取り軸において、
前記主軸２は、前記布押さえ３を収容する収容溝４を備えており、
前記収容溝４の第１の端５には、前記布押さえ３の第１の端６を差し込むための差し込み穴７が設けられ、
前記収容溝４の第２の端８には、前記布押さえ３の第２の端１０を係止するための係止機構９が設けられているとともに、
前記係止機構９は、前記主軸２の外周上に設けた案内溝１１と、前記案内溝１１の中で回転可能に案内される係止リング１２とから構成され、
前記係止リング１２は、回転角度によって前記収容溝４において、前記布押さえ３の第２の端１０を係止したり、解放したりする切れ目１３を備えていることを特徴とする洗浄布の巻取り軸。
【請求項２】
前記布押さえ３は、断面が扁平であり、前記収容溝４内で回転可能であって、前記係止機構９で係止されているときに、巻かれた洗浄布１８が膨らんだ状態であり、前記係止機構９で係止されていないときに、巻かれた洗浄布１８が緩むようになっていることを特徴とする請求項１に記載の洗浄布の巻取り軸。
【請求項３】
前記布押さえ３は、断面が扁平である扁平部分１９を有し、前記収容溝４内で回転可能であって、
前記扁平部分１９を回転させて、巻かれた前記洗浄布１８に対向する向きにすることにより、前記扁平部分１９と巻かれた前記洗浄布１８との間に空間を形成し、巻かれた前記洗浄布１８を緩めるようになっていることを特徴とする請求項１または２に記載の洗浄布の巻取り軸。
【請求項４】
前記係止リング１２は、前記案内溝１１の中にあるときに、前記主軸２の外周から突出しないようになっていることを特徴とする請求項１〜３のいずれか１項に記載の洗浄布の巻取り軸。
【発明の詳細な説明】
【技術分野】
【０００１】
本発明は、印刷機のシリンダなどを自動的に洗浄布によって洗浄する自動洗浄装置などに使用して有用な洗浄布の巻取り軸に関する。
【背景技術】
【０００２】
商業印刷で使用されるオフセット印刷機は、版胴、ブランケット胴、圧胴などのいくつかの胴を含んでいる。このうち、ブランケット胴は、比較的頻繁に洗浄が要求される。ブランケット胴の洗浄は、印刷機に組み込まれた自動洗浄装置によって行われる。
【０００３】
自動洗浄装置は、ブランケット胴の表面に洗浄布を押し当てて、洗浄布によって拭き取る。その構造は、供給軸に巻いた未使用の洗浄布を、巻取り軸で巻き取るようになっており、供給軸と巻取り軸との間に洗浄パッドを備えている。そして、必要に応じて、洗浄パッドによって洗浄布をブランケット胴の表面に押し付ける。
このような自動洗浄装置において、洗浄布の取付と取り外しは、なるべく簡単に行えるのが望ましい。
【０００４】
特許文献１には、自動洗浄装置の洗浄布の巻取り軸について、さまざまな提案が記載されている。この文献では、巻取り軸に洗浄布を巻き取った後、巻取り軸から洗浄布を容易に抜き取るための構造が示されている。洗浄布の巻取り軸には、使用済みの洗浄布が固く巻き付く。その結果、巻取り軸から使用済みの洗浄布を取り外すのは容易ではない。
【０００５】
特許文献１に記載された巻取り軸は、洗浄布を巻き取る時と洗浄布を取り外す時では、巻取り軸の外周を変化させるようにしている。その結果、洗浄布の幅が広い場合（例えば新聞印刷機では、１６００ｍｍ以上）でも、巻取り軸から使用済みの洗浄布を抜き取るのは容易である。
【０００６】
特許文献２には、同様に、巻取り軸の外周を変化させて、使用済の洗浄布を抜き取りやすくした構造が示されている。
また、特許文献３には、特許文献１、２と同様に、使用済の洗浄布を抜き取りしやすくした構造が示されている。特許文献３に記載の巻取り軸は、特許文献１に記載の巻取り軸と同様に、洗浄布の取り外しのときに、巻取り軸の太さを変化させるようになっている。そのため、洗浄布の幅が広い場合でも、洗浄布の取り外しを容易に行うことができる。
【先行技術文献】
【特許文献】
【０００７】
【特許文献１】特開平１０−１８０９９３号公報
【特許文献２】特開２００７−２８３７６９号公報
【特許文献３】特開２０１６−２１０５４５号公報
【発明の概要】
【発明が解決しようとする課題】
【０００８】
従来の洗浄布の巻取り軸は、構造が複雑で、取り扱いが難しいという課題があった。この原因は、洗浄布を巻き取るときの巻取り軸の外周と、使用済の洗浄布を巻取り軸から取り外す時の巻取り軸の外周を大きく変化させるようにしたためである。
【０００９】
このように、従来の洗浄布の巻取り軸は、外周の変化を大きくするために、部品点数が多く、構造が複雑であるという課題があった。
本発明は、部品点数を少なくして、構造を簡単にし、かつ洗浄布の取付と取り外しを容易にした洗浄布の巻取り軸としたものである。
【課題を解決するための手段】
【００１０】
本発明は、主軸２及び前記主軸２と組み合わされる布押さえ３からなる、洗浄布１８を巻き取るための洗浄布の巻取り軸において、前記主軸２は、前記布押さえ３を収容する収容溝４を備えており、前記収容溝４の第１の端５には、前記布押さえ３の第１の端６を差し込むための差し込み穴７が設けられ、前記収容溝４の第２の端８には、前記布押さえ３の第２の端１０を係止するための係止機構９が設けられているとともに、前記係止機構９は、前記主軸２の外周上に設けた案内溝１１と、前記案内溝１１の中で回転可能に案内される係止リング１２から構成され、前記係止リング１２は、回転角度によって前記収容溝４において、前記布押さえ３の第２の端１０を係止したり、解放したりする切れ目１３を備えていることを特徴とする洗浄布の巻取り軸としたものである。
【００１１】
また、本発明は、前記布押さえ３は、断面が扁平であり、前記収容溝４内で回転可能であって、前記係止機構９で係止されているときに、巻かれた洗浄布１８が膨らんだ状態であり、前記係止機構９で係止されていないときに、巻かれた洗浄布１８が緩むようになっていることを特徴とする洗浄布の巻取り軸としたものである。
【００１２】
更に、本発明は、前記布押さえ３は、断面が扁平である扁平部分１９を有し、前記収容溝４内で回転可能であって、前記扁平部分１９を回転させて、巻かれた前記洗浄布１８に対向する向きにすることにより、前記扁平部分１９と巻かれた前記洗浄布１８との間に空間を形成し、巻かれた前記洗浄布１８を緩めるようになっていることを特徴とする洗浄布の巻取り軸としたものである。
【００１３】
更にまた、本発明は、前記係止リング１２は、前記案内溝１１の中にあるときに、前記主軸２の外周から突出しないようになっていることを特徴とする洗浄布の巻取り軸としたものである。
【発明の効果】
【００１４】
本発明は、以上のように、主軸２及び前記主軸２と組み合わされる布押さえ３の２つの部分から構成され、部品点数が少なくても、洗浄布の巻取り軸として機能する。さらに、巻取り軸に対して洗浄布の先導端の係止が極めて容易である。
【００１５】
また、布押さえ３の断面の形状を扁平としたので、巻取り軸に布が巻かれた状態でも、布押さえ３を主軸２から抜き取ることができ、巻取り軸から使用済の布を取り外すのが容易である。
【図面の簡単な説明】
【００１６】
【図１】発明の要部を示した斜視図
【図２】主軸２に布押さえ３を係止した説明図
【図３】洗浄布の巻取り軸１の全体図
【図４】主軸２に、洗浄布１８を、布押さえ３で取り付けるときの説明図
【図５】係止機構９の説明図
【図６】主軸２に洗浄布１８を取り付けた状態の説明図
【図７】洗浄布１８の巻取り状態での布押さえ３の状態の説明図
【図８】洗浄布１８を抜き取る状態での布押さえ３の状態の説明図
【発明を実施するための形態】
【００１７】
本発明の実施の形態について以下に詳細に説明する。
本発明にかかる洗浄布の巻取り軸は、印刷機の自動洗浄装置の洗浄布を巻き取るための巻取り軸としての使用に適したものである。自動洗浄装置は、洗浄布の供給機構と巻取り機構とを備えており、供給機構と巻取り機構の間で、印刷機のシリンダの洗浄を行う。
【００１８】
このとき、自動洗浄装置の巻取り機構の一部であって、使用済の洗浄布を巻き取るのが洗浄布の巻取り軸である。洗浄布の巻取り軸に求められる機能は、巻き始めのときに、洗浄布の先導端を取り付けやすくすることと、洗浄布を交換するときに、巻取り軸から容易に洗浄布を除去できることである。
【００１９】
図１において、１は、本発明を実施した洗浄布の巻取り軸である。巻取り軸１は、洗浄布を巻き取るための主軸２及び布押さえ３から構成されている。主軸２には、布押さえ３を収容する収容溝４を備えている。収容溝４の第１の端５には、布押さえ３の第１の端６を差し込むための差し込み穴７が設けられている。
【００２０】
収容溝４の第２の端８には、係止機構９が設けられている。係止機構９は、布押さえ３の第２の端１０を係止して、布押さえ３を収容溝４に固定する機構である。係止機構９は、主軸２の外周上に設けられた案内溝１１と、係止リング１２とから構成される。係止リング１２は、案内溝１１に収容されるリングであって、案内溝１１の中で回転することができる。係止リング１２は、一部に切れ目１３が設けられている。係止リング１２は、回転位置によって、切れ目１３が、収容溝４と一致したり、係止リング１２の一部が、収容溝４を横切ったりする。切れ目１３が、収容溝４と一致していると、布押さえ３の第２の端１０は、自由に収容溝４に出入りできる。係止リング１２が、収容溝４を横切る位置では、収容溝４に収容された布押さえ３の第２の端１０と係合して、布押さえ３を収容溝４に固定する。
【００２１】
図２は、係止機構９の拡大図である。収容溝４には、布押さえ３が収容されている。係止リング１２は、収容溝４を横切っている。このとき、布押さえ３は、第２の端１０が係止リング１２によって、収容溝４に係止されることにより、収容溝４に収容される。係止リング１２は、案内溝１１の中で回転し回転角度を変えることができる。ここで、回転角度を変えるとは、係止リング１２を係止リング１２の周方向に回転させることである。よって、回転角度とは、係止リング１２の周方向の回転度合いであり、ある回転角度では切れ目１３が収容溝４と一致することになる。
【００２２】
係止リング１２は、案内溝１１に案内されているときに、１５で示すように、主軸２の外周１４より突出しないようになっている。１６は、係止リング１２のレバーである。レバー１６は、主軸２に洗浄布が巻かれていても主軸２の端面１７側から操作可能である。
【００２３】
図３は、本発明にかかる巻取り軸１の全体の構成の例である。巻取り軸１の長さは、ほぼ洗浄布の幅と同じである。
図４、図５及び図６は、洗浄布１８の係止の手順の例である。まず、図４に示すように、主軸２と布押さえ３の間に、洗浄布１８の先導端を配置する。次に、布押さえ３の第１の端６を、主軸２の収容溝４の第１の端５に設けた差し込み穴７に挿入する。
【００２４】
次に図５に示すように、係止リング１２を回転させて、係止リング１２の切れ目１３が、収容溝４と一致するようにする。係止リング１２の操作にはレバー１６を使用することができる。
そのあと、図６のように、係止リング１２を回転させ、布押さえ３の第２の端１０を、収容溝４に係止させる。
【００２５】
図７及び図８は、図３のＳの位置の断面図である。布押さえ３は、第１の端６の部分と第２の端１０の部分とを除くと、その間の断面は扁平になっている。図７は、布押さえ３の第１の端６が、差し込み穴７に差し込まれ、第２の端１０が、係止リング１２で係止された状態である。このときには、布押さえ３の扁平部分１９は図面視垂直に立っている（言い換えると、扁平部分１９が洗浄布１８に対向した向きから９０度回転した向きになっている）ので扁平部分１９は洗浄布１８に対向しておらず、頂上部２０が、洗浄布１８と対向し接している。この状態では、洗浄布１８は、巻取り軸１に強くまかれている。
【００２６】
一方図８では、布押さえ３を、反時計方向に９０度回転させた状態である。布押さえ３を、収容溝４の中で回転させるには、第１の端６を差し込み穴７から抜き取り、かつ係止リング１２を回転させて、第２の端１０と係止リング１２の係合を解除した状態でなければならない。布押さえ３を図８のように９０度回転させた状態であれば、扁平部分１９は洗浄布１８と対向する向きになり、扁平部分１９と洗浄布１８の間に空間２１が生じる。このことによって、洗浄布１８の巻き固さが緩む。図８の状態であれば、主軸２に布が巻かれた状態であっても、容易に布押さえ３を、収容溝４から抜き取ることができる。
【符号の説明】
【００２７】
１  巻取り軸
２  主軸
３  布押さえ
４  収容溝
５  収容溝４の第１の端
６  布押さえ３の第１の端
７  差し込み穴
８  収容溝４の第２の端
９  係止機構
１０  布押さえ３の第２の端
１１  案内溝
１２  係止リング
１３  係止リング１２の切れ目
１４  主軸２の外周
１５  主軸２の外周と係止リング１２との寸法差
１６  係止リング１２のレバー
１７  主軸２の端面
１８  洗浄布
１９  布押さえ３の扁平部分
２０  頂上部
２１  空間
【図１】
2019052035.tif 000003
【図２】
2019052035.tif 000004
【図３】
2019052035.tif 000005
【図４】
2019052035.tif 000006
【図５】
2019052035.tif 000007
【図６】
2019052035.tif 000008
【図７】
2019052035.tif 000009
【図８】
2019052035.tif 000010